(57)【要約】      （修正有）【課題】異種遊技媒体への変換を一台の装置で簡単に行うことが可能な遊技媒体変換装置を提供する。【解決手段】種類の異なるメダルを多数投入可能なホッパ４３と、ホッパに貯留されているメダルを１つ排出する毎に排出信号を出力するメダル検出部と、排出したメダルの種類を検出するメダル検出センサと、遊技媒体排出信号を用いて排出したメダルの数量を計数するメダル計数カウンタと、検出したメダルの種類を記憶する遊技媒体種類記憶手段３３と、排出したメダルを遊技媒体の種類毎に分別する振分機５０と、分別したメダルをそれぞれ貯留するホッパ１４３及びホッパ２４３と、検出したメダルとは異なる種類のメダルを、前記計数した数量を上限に払出す指示を出力する払出指示手段３１と、払出指示手段の指示に基づいて、ホッパ１４３又はホッパ２４３に貯留されているメダルを払出す第１払出機１４９及び第２払出機２４９とを備えた。【選択図】図６
2009136382.tif 000002
【特許請求の範囲】
【請求項１】
複数種類の遊技媒体を多数投入可能な多種遊技媒体貯留手段と、
前記多種遊技媒体貯留手段に貯留されている複数種類の遊技媒体を多種遊技媒体貯留手段から排出するとともに、１つの遊技媒体を排出する毎に遊技媒体排出信号を出力する遊技媒体計数手段と、
前記排出した遊技媒体の種類を検出する遊技媒体種類検出手段と、
前記遊技媒体排出信号を計数して前記排出した遊技媒体の数量を計数する計数カウンタと、
前記検出した遊技媒体の種類を記憶する遊技媒体種類記憶手段と、
前記排出した遊技媒体を遊技媒体の種類毎に分別する振分手段と、
前記分別した複数種類の遊技媒体、又は予め投入した複数種類の遊技媒体をそれぞれ貯留する複数の貯留手段と、
前記検出した遊技媒体とは異なる種類の遊技媒体を、前記計数した数量を上限に払出す指示を出力する払出指示手段と、
前記払出指示手段の指示に基づいて、前記複数の貯留手段のうちの第１の貯留手段に貯留されている第１の遊技媒体を払出す第１の払出手段と、
前記払出指示手段の指示に基づいて、前記複数の貯留手段のうちの第２の貯留手段に貯留されている第２の遊技媒体を払出す第２の払出手段と、
を備えることを特徴とする遊技媒体変換装置。
【請求項２】
前記計数した遊技媒体の数量のうち、記録媒体に記録する貯留数を入力する入力手段と、
前記入力した貯留数を前記記録媒体に記録する記録媒体制御手段と、
を備え、
前記払出指示手段は、前記検出した遊技媒体とは異なる種類の遊技媒体を、前記計数した遊技媒体の数量から前記貯留数を減算して得た数量だけ払出す指示を出力することを特徴とする請求項１に記載の遊技媒体変換装置。
【請求項３】
前記多種遊技媒体貯留手段及び前記遊技媒体計数手段を一体として脱着自在な脱着機構を備え、
前記第１の貯留手段及び前記第１の払出手段を一体として脱着自在な脱着機構を備え、
前記第２の貯留手段及び前記第２の払出手段を一体として脱着自在な脱着機構を備え、
ることを特徴とする請求項１又は２に記載の遊技媒体変換装置。
【発明の詳細な説明】
【技術分野】
【０００１】
本発明は、形状が異なる異種遊技媒体間で両替を行うことが可能な遊技媒体変換装置に関する。
【背景技術】
【０００２】
回胴式遊技機を用いた遊技を行うに際し、その遊技媒体としてメダルが多用されている。通常の回胴式遊技機に用いられるメダルは直径がφ２５（ｍｍ）であるが、特に沖縄向けの回胴式遊技機（所謂沖スロ）に用いられるメダルは直径φ３０（ｍｍ）であり、両者の遊技機間ではメダルの互換性がない。沖縄向けの回胴式遊技機の中には、先告知や控えめな前兆演出など独自の特徴を備えた機種があるために特定の遊技者の間で人気があって、φ２５のメダル（以降、φ２５メダルと記載する。）を扱う回胴式遊技機と、φ３０のメダル（以降、φ３０メダルと記載する。）を扱う回胴式遊技機との双方を同一遊技ホール内の異なる島毎に配置するとともに、更に回胴式遊技機間の台移動を自由にしている遊技ホールも多い。
【０００３】
例えば、当初φ２５メダルを扱う回胴式遊技機にて遊技を行って多数のメダルを取得した後に、φ３０メダルを扱う回胴式遊技機に台移動する場合には、払出されたφ２５メダルをφ３０メダルに交換してもらい、φ３０メダルを扱う回胴式遊技機にφ３０メダルを投入してから遊技を開始する。
【０００４】
従来、φ２５メダルを扱う回胴式遊技機とφ３０メダルを扱う回胴式遊技機との双方を配置した遊技ホールにおいて、会員カードを用いてφ２５の貯メダル又はφ３０の貯メダルを切り替えて引き落とすことが可能な再プレイ機が、特許文献１（特開２００４−２９８３２４号公報）に開示されている。
【０００５】
特許文献１に記載されている再プレイ機によれば、遊技者所望の遊技媒体を引き落とすための専用の再プレイ機を遊技ホール内で探すことなく、見つけた一台の再プレイ機にて種類の異なる遊技媒体の引き落としを自由に行うことが可能となる。また、遊技ホール側としては、種類の異なる遊技媒体を扱う専用の再プレイ機をそれぞれ遊技ホールのフロアに配置する必要がなくなるので、再プレイ機の導入や保守に関する管理コストの低減と、再プレイ機の設置スペースを削減することが可能となる。
【特許文献１】特開２００４−２９８３２４号公報
【発明の開示】
【発明が解決しようとする課題】
【０００６】
従来、当初φ２５メダルを扱う回胴式遊技機にて遊技を行って多数のメダルを取得した後に、φ３０メダルを扱う回胴式遊技機に台移動して遊技を再開するまでには、図１１に示す工程を経る必要があった。
【０００７】
図１１は、φ２５メダルをφ３０メダルに変換する従来の工程を示す図である。
図１１に示すように、φ２５メダルをφ３０をメダルに変換する場合には、先ず工程Ｐ２０２にて、カード発行機を探して貯メダルカード（会員カード、又はプリペイドカード等の記録媒体。）を予め発行しておく。
【０００８】
次に、工程Ｐ２０４及びＰ２０６にて、遊技中に払出された多量のφ２５メダルと発行済の貯メダルカードとをジェットカウンタの所まで運搬する。
【０００９】
次の工程Ｐ２０８では、遊技ホールの店員に依頼して、運搬してきたφ２５メダルをジェットカウンタのホッパに投入して、φ２５メダルの計数を開始する。次に、運搬してきた貯メダルカードをジェットカウンタのカードリーダーライタに挿入して、計数したメダル数量を貯メダルカードに記録する。
【００１０】
次の工程Ｐ２１０にて、貯メダルカードを持ってφ３０メダルを扱う再プレイ機を探し、次の工程Ｐ２１２にて、その再プレイ機に貯メダルカードを挿入し、所望の引と落しメダル数を入力する。すると、所望数量のφ３０メダルが、再プレイ機のメダル受皿に払出される。
【００１１】
次の工程Ｐ２１２にて、払出されたφ３０メダルを持ってφ３０メダルを扱う回胴式遊技機の所まで運搬し、回胴式遊技機のメダル投入口に投入して遊技を開始する。
【００１２】
また、工程Ｐ２０８において、貯メダルカードに貯メダル数を記録する代わりに、ジェットカウンタにてメダル数量を記録したレシートの印刷を行った場合には、そのレシートを持ってカード発行機の所まで行き（工程Ｐ２１４）、遊技ホールの店員に依頼して貯メダルカードの発行を依頼する。
【００１３】
次の工程Ｐ２１６にて貯メダルカードの発行が行われると、その発行された貯メダルカードを持ってφ３０メダルを再プレイ機を探し、次の工程Ｐ２１２にて所望数量のφ３０メダルを払出す。
【００１４】
このように従来は、異種のメダルに変換する際には、カード発行機とジェットカウンタと再プレイ機との３種類の機械が必要であった。また、遊技者が異種のメダルに変換する際に必要とされる工程も、工程Ｐ２０２〜工程Ｐ２１２までの６工程、又は工程Ｐ２０６から工程２１８までの６工程（工程Ｐ２１０の運搬工程を除く。）を行うことが必要であり、遊技者に多大な負担を強いるものであった。
【００１５】
本発明は、このような事情に鑑みてなされたものであり、異種遊技媒体間における変換を一台の装置で簡単に行うことが可能な遊技媒体変換装置を提供することを目的としている。また、遊技媒体の変換に必要な装置の管理コストや設置スペースを削減することが可能な遊技媒体変換装置を提供することを目的としている。
【課題を解決するための手段】
【００１６】
上記課題を解決するために、本発明に係る遊技媒体変換装置は、複数種類の遊技媒体を多数投入可能な多種遊技媒体貯留手段と、前記多種遊技媒体貯留手段に貯留されている複数種類の遊技媒体を多種遊技媒体貯留手段から排出するとともに１つの遊技媒体を排出する毎に遊技媒体排出信号を出力する遊技媒体計数手段と、前記排出した遊技媒体の種類を検出する遊技媒体種類検出手段と、前記遊技媒体排出信号を計数して前記排出した遊技媒体の数量を計数する計数カウンタと、前記検出した遊技媒体の種類を記憶する遊技媒体種類記憶手段と、前記排出した遊技媒体を遊技媒体の種類毎に分別する振分手段と、前記分別した複数種類の遊技媒体又は予め投入した複数種類の遊技媒体をそれぞれ貯留する複数の貯留手段と、前記検出した遊技媒体とは異なる種類の遊技媒体を前記計数した数量を上限に払出す指示を出力する払出指示手段と、前記払出指示手段の指示に基づいて前記複数の貯留手段のうちの第１の貯留手段に貯留されている第１の遊技媒体を払出す第１の払出手段と、前記払出指示手段の指示に基づいて前記複数の貯留手段のうちの第２の貯留手段に貯留されている第２の遊技媒体を払出す第２の払出手段とを備えることを特徴とする。
【００１７】
本発明によれば、遊技媒体変換装置は、利用者が多種遊技媒体貯留手段に投入した遊技媒体の種類を検出するとともに数量を計数しながら分類して、それぞれ個別の貯留手段に貯留する。更に、前記検出した遊技媒体とは異なる種類の遊技媒体を、前記計数した数量を上限として払出すように構成したので、異なる種類の遊技媒体に変換する作業工程が単純化され、遊技媒体の変換作業が容易となり、短時間で変換作業を終了することができる。また、従来のように、φ２５メダルをφ３０メダルに変換する際に必要であったカード発行機と、ジェットカウンタと、再プレイ機との３種類の機械を、一台の遊技媒体変換装置で兼用することが可能となり、遊技ホールにおける機械の管理コストを低減するとともに、各機械の設置スペースを低減することができる。
【００１８】
また、前記計数した遊技媒体の数量のうち、記録媒体に記録する貯留数を入力する入力手段と、前記入力した貯留数を前記記録媒体に記録する記録媒体制御手段とを備え、前記払出指示手段は、前記検出した遊技媒体とは異なる種類の遊技媒体を、前記計数した遊技媒体の数量から前記貯留数を減算して得た数量だけ払出す指示を出力することが好ましい。
【００１９】
本発明によれば、遊技媒体変換装置が計数した遊技媒体の数量のうち、遊技者が設定した所望数量の遊技媒体を、プリペイドカード、会員カードその他の貯メダルカード、又はレシート等の記録媒体に記録しておき、残りを異なる種類の遊技媒体に変換して払出すことが可能となる。
【００２０】
また、前記多種遊技媒体貯留手段及び前記遊技媒体計数手段を一体として脱着自在な脱着機構を備え、前記第１の貯留手段及び前記第１の払出手段を一体として脱着自在な脱着機構を備え、前記第２の貯留手段及び前記第２の払出手段を一体として脱着自在な脱着機構を備えることが好ましい。
【００２１】
本発明によれば、遊技媒体変換装置における遊技媒体計数手段、第１の払出手段、及び第２の払出手段の脱着が容易となる。したがって、遊技媒体が内部に詰まるなど、一部に故障が発生した場合であっても、保守や点検作業が容易となり、メンテナンスに必要な時間を短縮することができる。そして、遊技媒体変換装置の稼働率を向上させることができる。
【発明の効果】
【００２２】
本発明によれば、異種遊技媒体間への遊技媒体の変換を一台の装置で簡単に行うことが可能となる。また、遊技媒体の変換に必要な装置の管理コストや、設置スペースを削減することが可能となる。
【発明を実施するための最良の形態】
【００２３】
本発明に係る遊技媒体変換装置の好適な実施の形態について、添付図面に基づいて具体的に説明する。
図１は、本発明に係る遊技媒体変換装置１を上面から見た平面図である。
【００２４】
図１に示すように、遊技媒体変換装置１は、投入された変換元のφ２５メダル（遊技媒体）を貯留する、すり鉢状の凹部が形成されたホッパ４３（多種遊技媒体貯留手段）を備えている。ホッパ４３の下部には、投入したφ２５メダルの一つ一つをメダル受穴２２４に落とし込み、当該メダル受穴２２４を偏芯回転させる受穴付回転盤２２６を備えている。受穴付回転盤２２６は、計数開始スイッチ４１を押下することによってその回転を開始する。受穴付回転盤２２６のメダル受穴２２４に入ったφ２５メダルは、受穴付回転盤２２６の回転に伴ってホッパ４３の下部から排出され、排出されながら後述する計数機４９（遊技媒体計数手段）のメダル検出部４４及び計数機制御手段４２により検出、計数されて、振分機５０（振分手段）によりメダルの種類ごとに分別された後にそれぞれ貯留される。
【００２５】
なお、ホッパ４３は、φ２５メダル及びφ３０メダル兼用の計数機４９にメダルを供給するためのホッパ４３である。したがって、逆にφ３０メダルを投入して両替したφ２５メダルを払出す場合には、ホッパ４３にφ３０メダルを直接投入すればよい。
【００２６】
遊技媒体変換装置１の上面には、投入したメダルの種類（φ２５メダル又はφ３０メダル）とその計数した枚数とを表示する投入枚数表示部４０ａと、投入したφ２５メダルのうちレシート（記録媒体の一形態。）に印刷する枚数を設定する際に押下するレシート印刷枚数設定スイッチ３４ｒと、前記設定したレシート印刷枚数を表示するレシート印刷枚数表示部４０ｂと、投入したφ２５メダルのうち貯メダルカード（記録媒体の一形態。）に記録する貯メダル数を設定する際に押下するカード記録枚数設定スイッチ３４ｃと、前記設定したカード記録枚数を表示するカード記録枚数表示部４０ｃと、投入したφ２５メダルのうちφ３０メダルに変換する枚数を設定する際に押下するメダル払出枚数設定スイッチ３４ｍと、前記メダル払出枚数を表示するメダル払出枚数表示部４０ｄとを備えている。
【００２７】
また、遊技媒体変換装置１の上面には、投入したφ２５メダルのうちレシートに印刷する枚数や、貯メダルカードに記録する貯メダル数、φ３０メダルに変換する枚数を設定する０〜９までの数字スイッチ（入力手段３４の一形態。）と、入力した枚数を修正する際に押下して直前に入力した数値を消去するＢＳスイッチ（入力手段３４の一形態。）とが配されている。また遊技媒体変換装置１の上面には、前記各メダルの枚数を設定した後に、レシートに印刷する処理、貯メダルカードに記録する処理、及びφ３０メダルに変換する処理の実行を指示するエントリースイッチ３４ｅが配置されている。
【００２８】
また、遊技媒体変換装置１には、磁気記録式又はＩＣタグを内蔵した貯メダルカードに対して貯メダル数を読み書きしたり、遊技者を識別する固有の識別情報（カードＩＤ）を読み取るカードリーダーライタ３７（記録媒体制御手段の一形態。）と、レシートの用紙にメダル枚数やバーコード、又はＱＲコードを印刷して出力するレシート印刷手段３９（記録媒体制御手段の一形態。）と、変換後の払出したメダルを貯留するメダル受皿１７とを備えている。
【００２９】
次に、遊技媒体変換装置１の内部構造について、図２及び図３を用いて説明する。図２は、図１に示す遊技媒体変換装置１のＩＩ−ＩＩ矢視断面図であり、図３は、図２に示すホッパ４３及び計数機４９のＩＩＩ−ＩＩＩ矢視断面図である。
すり鉢状の凹部が形成されたホッパ４３の底部には、計数機４９が配置されている。この計数機４９の前面には、計数機４９から排出された後のメダルを通過させながらφ２５メダルとφ３０メダルとをそれぞれ分別した後に落下させる振分機５０が接続されている。
【００３０】
振分機５０から落下したφ２５メダルは、φ２５メダルを専用に貯留して払出す第１払出機１４９（第１の払出手段）のホッパ１４３（第１の貯留手段）内に落下するように、振分機５０及びホッパ１４３を配置してある。なお、後段の第１払出機１４９から排出されたφ２５メダルは、シュート１５０の内部を通過して落下し、メダル受皿１７に払出される。
【００３１】
また、振分機５０から落下したφ３０メダルは、φ３０メダルを専用に貯留して払出す第２払出機２４９（第２の払出手段）のホッパ２４３（第２の貯留手段）内に落下するように、振分機５０及びホッパ２４３を配置してある。同様に、後段の第２払出機２４９から排出されたφ３０メダルは、シュート２５０の内部を通過して落下し、メダル受皿１７に払出される。
【００３２】
計数機４９、第１払出機１４９及び第２払出機２４９下部の両側部は、筐体２に形成した溝状のガイド１１に案内されて、図２の紙面の左右方向及び上下方向に位置決めされながら、紙面の表裏方向に対して摺動可能に構成されている。
【００３３】
次に、ホッパ４３及び計数機４９の構造について、主に図３の側面断面図を用いて説明する。なお、ホッパ１４３及び第１払出機１４９、並びにホッパ２４３及び第２払出機２４９の構造も、ホッパ４３及び計数機４９と略同様であるので、その説明は省略する。
【００３４】
図１〜図３に示すように、計数機４９の上部には、φ２５メダル又はφ３０メダルを貯留しておくための、すり鉢状の凹部が形成されたホッパ４３を備えている。ホッパ４３の下部には、ホッパ４３内に貯留されているφ２５メダル又はφ３０メダルの一つ一つをメダル受穴２２４に落とし込み、当該メダル受穴２２４を偏芯回転させる受穴付回転盤２２６を備えている。なお、図１に示す実施例では、受穴付回転盤２２６には、４つのメダル受穴２２４が開設されている。
【００３５】
次に、図３の断面図を用いて、ホッパ４３の下部の構造について説明する。ホッパ４３は、上面が傾斜した計数機４９を介して筐体２の床面に固定される。計数機４９の傾斜した上部には、ホッパ４３の下部において貯留されているφ２５メダル又はφ３０メダルを一つ一つ取り出して振分機５０へ放出させるためのメダル放出機構が取り付けられている。
【００３６】
このメダル放出機構には、４つのメダル受穴２２４が９０度間隔で開設され、この４つのメダル受穴２２４に囲まれる中央部に形成した回転軸を中心に回転する略円盤形状の受穴付回転盤２２６と、当該受穴付回転盤２２６を回転駆動する動力を発生するモータ２３０と、前記モータ２３０の回転を減速してトルクを増大させて前記受穴付回転盤２２６を回転させるためのギヤヘッド２３２と、前記受穴付回転盤２２６の縁部を上方から保持する円環形状の部材であって、振分機５０に放出するφ２５メダル又はφ３０メダルの案内路の一部を形成するディスクカバー２３６と、前記ギヤヘッド２３２及び前記ディスクカバー２３６とを保持するディスクホルダ２３４とが配置されている。
【００３７】
なお、ディスクホルダ２３４には、前記モータ２３０用の配線と、後述するメダル検出部４４用の光電センサの配線とを中継するコネクタ２４６が取り付けられている。このコネクタ２４６は、筐体２に固定されているストッパーブラケット２４４の上部に取り付けた筐体側コネクタ２４５に嵌挿して、後述する計数機制御手段４２（図６参照。）と電気的に接続される。
【００３８】
ディスクホルダ２３４の最上部には、受穴付回転盤２２６のメダル受穴２２４に落とし込まれているφ２５メダル又はφ３０メダルを、受穴付回転盤２２６裏側の側部から、振分機５０に向けて放出する払出ステーションが形成されている。
【００３９】
この払出ステーションには、揺動運動を行う従動式のメダル導入ローラ２３８及びメダル放出ローラ２３９が配されている。このメダル導入ローラ２３８及びメダル放出ローラ２３９は、受穴付回転盤２２６の回転に伴って偏芯回転してきたφ２５メダル又はφ３０メダルの進行方向を放射方向に変更すると共に、振分機５０に向けて放出させる働きをするローラである。
【００４０】
このうち初段に配されているメダル導入ローラ２３８は、メダル受穴２２４に落とし込まれながら受穴付回転盤２２６の回転に伴って偏芯回転してきたφ２５メダル又はφ３０メダルの進行方向を、偏芯回転から振分機５０に向けた放射方向に変更させるための従動ローラである。また、このメダル導入ローラ２３８は、所定の方向に付勢されながら揺動運動を行うことが可能なローラである。
【００４１】
後段に配されているメダル放出ローラ２３９は、メダル導入ローラ２３８により偏芯回転が阻止されたφ２５メダル又はφ３０メダルに対し、当初φ２５メダル又はφ３０メダルの直径よりも小さい外周部に当接して、φ２５メダル又はφ３０メダルの通過に伴って退避しながらエネルギーを蓄え、φ２５メダル又はφ３０メダルの直径部分を通過した後には、φ２５メダル又はφ３０メダルの外周を挟むようにしながらφ２５メダル又はφ３０メダルを後ろから押すことにより、φ２５メダル又はφ３０メダルを振分機５０に向けて放出する動作を行う従動ローラである。このメダル放出ローラ２３９も、所定の方向に付勢されながら揺動運動を行うことが可能なローラである。
【００４２】
メダル導入ローラ２３８及びメダル放出ローラ２３９には、それぞれのローラと連動して揺動するドグが取り付けられている。φ２５メダル又はφ３０メダルの放出動作を行っていない状態では、これらの２つのドグがメダル検出部４４を構成する光電センサの光軸を遮光している。φ２５メダル又はφ３０メダルを振分機５０に向けて放出する際には、メダル導入ローラ２３８及びメダル放出ローラ２３９の双方が同時期に揺動することにより、２つのドグがメダル検出部４４を構成する光電センサの光軸から離間して、一時期光電センサが透光状態となる状態をつくりだし、遊技媒体排出信号を出力する。
【００４３】
φ２５メダル又はφ３０メダルが完全に振分機５０に放出されると、光電センサの光軸は、再び遮光状態に遷移する。この、透光状態から遮光状態に遷移した回数を計数することにより、払出されたφ２５メダル又はφ３０メダルの数量を把握することができる。
【００４４】
次に、ホッパ４３及び計数機４９の脱着機構について説明する。
前述の通り、ホッパ４３及び計数機４９は、計数機４９下部の両側部を筐体２に形成した溝状のガイド１１に挿入することによって、遊技媒体変換装置１の筐体２に対して摺動可能に構成されている。
【００４５】
計数機４９の奥方向の位置決めは、図３の側面断面図に示すように、計数機４９の計数機奥壁４９ｄを筐体２に固定されているストッパーブラケット２４４に当接させることにより行っている。また、計数機４９の手前方向の位置決めは、固定具１２のフックを計数機前壁４９ｆに係合させることによって行っている。
【００４６】
固定具１２は屈曲可能に構成されており、フック部分を手で下方に下げることによって計数機前壁４９ｆと固定具１２との係合が外れ、特段の工具を用いることなく計数機４９の手前方向の位置決めを解除して、ホッパ４３及び計数機４９を手前側に引き出すことができる。この動作により、計数機４９側のコネクタ２４６は、筐体２側の筐体側コネクタ２４５から外れるように構成されている。
【００４７】
また、取り外した計数機４９を遊技媒体変換装置１の筐体２に取り付ける場合には、計数機４９下部の両側部を筐体２に形成した溝状のガイド１１に挿入し、計数機４９を更に奥に押し込んでゆくと、計数機４９の計数機奥壁４９ｄとストッパーブラケット２４４とが当接する。すると、同時に固定具１２のフックが上昇するので、固定具１２が計数機前壁４９ｆと係合して、計数機４９が図２の紙面の表裏方向に位置決めされる。この計数機４９の挿入操作により、計数機４９側のコネクタ２４６は、筐体２側の筐体側コネクタ２４５に嵌挿するように構成されている。
【００４８】
このように構成することによって、ホッパ４３及び計数機４９を取り外して点検したり交換する場合であっても、特段の工具を必要とせずに、容易に脱着作業を行うことができる。
【００４９】
次に、振分機５０の構造とその機能について説明する。
図４は、振分機５０の流路に対して直交する面で切断した断面図であり、図２に示したＩＶ−ＩＶ矢視断面図である。
【００５０】
図４に示すように、振分機５０の流路を転動落下してきたφ３０メダルは、流路の両側から中央に向けて張り出した下ガイド５３に案内されて、そのまま流路に沿って転動して行き、振分機５０の開放端から放出され、第２払出機２４９のホッパ２４３内に落下する（図２参照。）。他方、直径が小さいφ２５メダルは、流路の両側から張り出した下ガイド５３の隙間から落下して、第１払出機１４９のホッパ１４３内に落下する（図２参照。）。このようにして、φ２５メダルとφ３０メダルとを分別することができる。
【００５１】
次に、メダルの種類毎に数量を計数するメダル検出センサ５１の配置について、図５を用いて説明する。
図５は、振分機５０の流路に対して直交する面で切断した断面図であり、図２に示したＶ−Ｖ矢視断面図である。
【００５２】
図５に示すように、振分機５０の流路の両側から張り出して流路の下面を形成する下ガイド５４には、反射式のメダル検出センサ５１Ａ〜Ｃ（遊技媒体計数手段，遊技媒体種類検出手段）が配置されている。振分機５０の流路にメダルが存在しない状態では、メダル検出センサ５１Ａ〜Ｃが発光している検出光はそれぞれの透光孔５２を介して外部に透過している。
【００５３】
この状態で、振分機５０の流路内にφ３０メダルを転動落下させた際には、そのφ３０メダルが一時期メダル検出センサ５１Ａ〜Ｃの全ての検出光を反射するので、その反射光をメダル検出センサ５１Ａ〜Ｃが検出することによってφ３０メダルが一つ通過したことを検出することができる。
【００５４】
他方、振分機５０の流路内をφ２５メダルが転動落下してくると、そのメダルは一時期メダル検出センサ５１Ａ、Ｂが発する検出光のみを反射することになるので、その反射光をメダル検出センサ５１Ａ、Ｂが検出することによってφ２５メダルが一つ通過したことを検出することができる。
【００５５】
なお、図５に示すように、メダル検出センサ５１Ａのメダル検出信号に、メダルの通過速度に応じたオンディレイを設定し、メダルの通過が終了する以前に計測時間を終了させるワンショット時間を設定するとよい。
【００５６】
このように、メダル検出センサ５１Ａ〜Ｃの全てが反射光を検出した際の回数を計数することによって、通過したφ３０メダルの枚数を計測することができ、メダル検出センサ５１Ａ、Ｂのみが反射光を検出した際の回数を計数することによって、通過したφ２５メダルの枚数を計測することができる。
【００５７】
次に、本発明に係る遊技媒体変換装置１における制御部２９のブロック図を図６に示す。
【００５８】
遊技媒体変換装置１の制御部２９には、遊技媒体変換装置１の全体の制御を統括するとともに、バス３８を介して接続されている各周辺機器を制御するＣＰＵ３１が配置されている。バス３８には、ＣＰＵ３１を動作させるプログラムや定数、各種データの初期値等を記憶するＲＯＭ３２と、ＣＰＵ３１が実行するプログラムを展開して記憶するとともに、演算に用いる定数やフラグを記憶するなど、プログラム実行の際に作業領域として用いるＲＡＭ３３とが接続されている。
【００５９】
なお、本実施例においては、プログラムや各種データ等を記憶する媒体としてＲＯＭ３２を用いるように構成したが、これに限らず、通信手段を介して他のコンピュータからこれらの情報を取得してもよいし、ハードディスク装置、ＣＤ−ＲＯＭ及びＤＶＤ−ＲＯＭ、ＲＯＭカートリッジ等の他の記録媒体から取得することも可能である。
【００６０】
また、図６では、ＣＰＵ３１、ＲＯＭ３２及びＲＡＭ３３を別々に設けた実施例を示した、これらが一体となっているワンチップマイコンやＡＳＩＣ等を使用することも可能である。
【００６１】
制御部２９のバス３８には、レシート印刷枚数設定スイッチ３４ｒ、カード記録枚数設定スイッチ３４ｃ、メダル払出枚数設定スイッチ３４ｍ、エントリースイッチ３４ｅ、数字スイッチ及びＢＳスイッチ等から構成される入力手段３４と、投入枚数表示部４０ａ、レシート印刷枚数表示部４０ｂ、カード記録枚数表示部４０ｃ、及びメダル払出枚数表示部４０ｄ等の表示手段の表示制御を行う表示インターフェース３５と、管理コンピュータ４００との間で、遊技者を識別する固有の識別情報（カードＩＤ）やパスワード、遊技者の住所、氏名、電話番号、貯メダルカードに貯留されている貯メダル数に関する情報などを送受信する通信インターフェース３６とが接続されている。
【００６２】
なお、投入枚数表示部４０ａ、レシート印刷枚数表示部４０ｂ、カード記録枚数表示部４０ｃ、及びメダル払出枚数表示部４０ｄ等の表示手段として液晶表示装置（Ｌｉｑｕｉｄ  Ｃｒｙｓｔａｌ  Ｄｉｓｐｌａｙ）を用いることができるが、ＬＥＤ（Ｌｉｇｈｔ  Ｅｍｉｔｔｉｎｇ  Ｄｉｏｄｅ）やＦＥＤ（Ｆｉｅｌｄ  Ｅｍｉｓｓｉｏｎ  Ｄｉｓｐｌａｙ）、有機ＥＬ、その他の表示装置を用いることができる。
【００６３】
また、制御部２９のバス３８には、計数開始スイッチ４１の押下信号を参照して計数機４９の受穴付回転盤２２６（図３参照。）の回転制御を行う計数機制御手段４２が接続されている。
【００６４】
この計数機制御手段４２は、メダル検出部４４が透光状態から遮光状態に遷移した回数を計数することにより、排出されたφ２５メダル又はφ３０メダルの数量を計数する機能や、メダル検出センサ５１Ａ〜Ｃが検出したφ３０メダル及びφ２５メダルの通過枚数を計数して、バス３８を介してＣＰＵ３１に通知する機能を備えている。この計数機制御手段４２において実行されるメダル計数処理については、図８のフローチャートを用いて後段にて詳説する。
【００６５】
また、制御部２９のバス３８には、ＣＰＵ３１の指令に基づき第１払出機１４９の受穴付回転盤の回転制御を行うことによって、φ２５メダルの払出制御を行う第１払出機制御手段１４２が接続されている。
【００６６】
この第１払出機制御手段１４２は、第１払出機１４９のメダル検出部が透光状態から遮光状態に遷移した回数を計数して、ＣＰＵ３１により設定された所定枚数のφ２５メダルが払出されたことを条件に第１払出機１４９の受穴付回転盤の回転を停止させる機能と、全てのφ２５メダルの払出が終了したことをＣＰＵ３１に通知する機能とを備えている。
【００６７】
また、制御部２９のバス３８には、ＣＰＵ３１の指令に基づき第２払出機２４９の受穴付回転盤の回転制御を行うことによって、φ３０メダルの払出制御を行う第２払出機制御手段２４２が接続されている。
【００６８】
この第２払出機制御手段２４２は、第２払出機２４９のメダル検出部が透光状態から遮光状態に遷移した回数を計数して、ＣＰＵ３１により設定された所定枚数のφ３０メダルが払出されたことを条件に第２払出機２４９の受穴付回転盤の回転を停止させる機能と、全てのφ３０メダルの払出が終了したことをＣＰＵ３１に通知する機能とを備えている。
【００６９】
また、制御部２９のバス３８には、磁気記録式又はＩＣタグを内蔵した貯メダルカードから取得した情報をＣＰＵ３１に伝達するとともに、ＣＰＵ３１の指令に基づいて貯メダルカードに各種情報を記録するカードリーダーライタ３７と、ＣＰＵ３１の指令に基づいてレシートの用紙にメダル枚数やバーコード又はＱＲコードを印刷するレシート印刷手段３９とが接続されている。
【００７０】
なお、上述のように、貯メダルカードとして磁気記録式又はＩＣタグを内蔵したプリペイドカートや会員カード等を用いることができるが、貯メダルカードとして当日以外の使用も可能な会員カードを用いた場合には、本発明に係る遊技媒体変換装置１を、図７に示すような管理コンピュータ４００のネットワークに接続して、管理コンピュータ４００にて貯メダル数の管理を行う。例えば、管理コンピュータ４００において、遊技者を識別する固有の識別情報（カードＩＤ）と関連付けて記憶している貯メダル数を書き換えることにより、貯メダル数を増やしたり、貯メダル数から引き落として実際にメダルを払出すことができる。
【００７１】
なお、会員カードは、図７に示すようにφ２５メダルを扱うφ２５遊技機１１２５を配置した島のφ２５貸出機１２２５や、φ３０メダルを扱うφ３０遊技機１１３０を配置した島のφ３０貸出機１２３０においても取り扱うことが可能であるので、φ２５貸出機１２２５や、φ３０貸出機１２３０も管理コンピュータ４００と接続されている。この管理コンピュータ４００と遊技媒体変換装置１との間の通信接続は、ＬＡＮ（Ｌｏｃａｌ  Ａｒｅａ  Ｎｅｔｗｏｒｋ）の他、ＲＳ４２２その他の通信手段を用いることができる。
【００７２】
次に、制御部２９の計数機制御手段４２が実行するメダル計数処理について、図８に示すフローチャートを用いて説明する。なお、図８のフローチャートに示す処理は、以下に説明するように計数機制御手段４２に別途設けたＣＰＵが実行してもよいし、ＣＰＵ３１にて実行することも可能である。また、計数機制御手段４２をハードウェアで構成し、同等の処理をロジック回路等のハードウェアにて実現するようにしてもよい。
遊技媒体変換装置１の電源を投入すると、計数機制御手段４２が実行する処理は、ステップＳ１０２に進み、計数機制御手段４２の初期化処理を行う。ここでは、ＣＰＵ３１の指令に基づいて入出力ポートを設定したり、各定数の初期値をセットする処理を行う。例えば、モータ２３０の駆動指令はＯＦＦ（停止）とし、φ２５メダル計数カウンタ及びφ３０メダル計数カウンタの計数値はゼロリセットし、計数開始スイッチ４１に併設されているイネーブルランプは消灯しておく。
【００７３】
次の、ステップＳ１０４では、バス３８を介して接続されているＣＰＵ３１から取得した指令やフラグの情報をポートから読み取るとともに、計数開始スイッチ４１の状態を読み込む処理を行う。
【００７４】
次のステップＳ１０６にて計数機制御手段４２は、ＣＰＵ３１から取得したフラグのうちの払出完了フラグがセットされているか否かの判断を行う。もし、払出完了フラグがセットされている場合には、次のステップＳ１０８に進み、払出完了フラグがセットされていない場合には、ステップＳ１１６に分岐する。なお、払出完了フラグは、遊技媒体変換装置１において全てのメダルの払出処理が完了していることを受けて、ＣＰＵ３１が次のメダル計数開始を許可していることを表すフラグである。
【００７５】
次のステップＳ１０８にて計数機制御手段４２は、メダルの払出処理が完了していることを受けて、メダル計数が可能な状態であることを表す計数開始スイッチ４１のイネーブルランプを点灯させるフラグをセットする。実際にイネーブルランプを点灯させる処理は、後のステップＳ１２４にて、このフラグに基づいて行う。
【００７６】
次のステップＳ１１０にて計数機制御手段４２は、計数開始スイッチ４１が押下されたか否かの判断を行う。ステップＳ１０４にて読み取った計数開始スイッチ４１の状態が押下状態であった場合には、ステップＳ１１２に進み、押下状態でなかった場合には、ステップＳ１１６に分岐する。
【００７７】
次のステップＳ１１２にて計数機制御手段４２は、例えば５秒程度の停止タイマー（オフディレイタイマー）をセットする。この停止タイマーは、次のステップＳ１１４にてモータ２３０を回転させておくためのタイマーであり、再度設定しない限り、５秒後にアップしてモータ２３０を停止させるタイマーである。
【００７８】
次のステップＳ１１４にて計数機制御手段４２は、計数機４９のモータ２３０を回転させるためのモータ回転中フラグをセットし、イネーブルランプを点滅させるフラグをセットする。イネーブルランプが点滅している間は、計数機４９のモータ２３０が回転しており、メダル計数中であることを表している。なお、実際にモータ２３０を回転させ、イネーブルランプを点滅させる処理は、後のステップＳ１２４にて、これらのフラグに基づいて行う。
【００７９】
次の、ステップＳ１１６にて計数機制御手段４２は、現在回転タイマーがアップしているか否かの判断（タイマーセット後５秒経過したか否かの判断）を行う。もし回転タイマーがアップしている場合（タイマーセット後５秒経過した場合）には、ステップＳ１１８に分岐して計数機４９のモータ２３０を停止させるべくモータ２３０を回転させるためのモータ回転中フラグをリセットする。また、回転タイマーがアップしていない場合（タイマーセット後５秒経過していない場合）には、ステップＳ１２０に進む。
【００８０】
次のステップＳ１２０にて計数機制御手段４２は、メダル検出部４４を構成する光電センサの信号を監視することにより、φ２５メダル又はφ３０メダルが通過したか否かを判断する。もしφ２５メダル又はφ３０メダルが通過していない場合には、ステップＳ１２４に分岐し、メダルが通過した場合には、ステップＳ１２２に進む。
【００８１】
次のステップＳ１２２にて計数機制御手段４２は、メダルが通過したことを受けて、φ２５、φ３０メダル計数カウンタの値をカウントアップする処理を行う。更に、メダルがまだホッパ４３内に存在していたことを受けて、再度回転タイマーを再びセットする処理を行う。なお、φ２５、φ３０メダル計数カウンタの値のカウントアップに際し、メダル検出センサ５１Ａ〜Ｃの検出結果を用いることによって、φ２５メダルとφ３０メダルとを別々に計数することも可能である。ステップＳ１２２の処理が終了すると、ステップＳ１２４の処理に進む。
【００８２】
次のステップＳ１２４にて計数機制御手段４２は、モータ回転中フラグの状態に基づいて、計数機４９のモータ２３０を回転、又は停止させる処理を行う。そして、イネーブルランプを点灯させるフラグ、又はイネーブルランプを点滅させるフラグに基づいて、実際にイネーブルランプを消灯、点灯又は点滅させる処理を行う。
【００８３】
また、ＣＰＵ３１に対しては、モータ２３０が回転中であるか否かを表すモータ回転中フラグの状態と、φ２５、φ３０メダル計数カウンタの値とを出力する。Ｓ１２４における出力処理が終了すると、再びステップＳ１０４の処理に戻り、以降の処理を繰り返し実行する。
【００８４】
次に、制御部２９のＣＰＵ３１が実行する電源投入処理について、図９を用いて説明する。
遊技媒体変換装置１の電源を投入すると、ＣＰＵ３１が実行する処理は、ステップＳ２０２に進み、遊技媒体変換装置１の初期化処理を行う。ここでは、ＲＡＭチェックや接続されている周辺機器の初期設定を行うとともに、各周辺機器のエラーチェックを行う。そして、プログラムをＲＯＭ３２からロードしてＲＡＭ３３に展開し、各定数に初期値をセットする。貯メダルカードとして会員カードを用いる場合には、通信インターフェース３６（図６参照。）を介して管理コンピュータ４００と通信を行い、ハンドシェイク処理を行って、通信を確立しておく。
【００８５】
なお、ステップＳ２０２では、後述するレシート出力完了フラグ、カード記録完了フラグ、計数完了フラグ及び払出完了フラグをセットし、各種エラーフラグをリセットしておく。また、φ２５、φ３０メダル計数カウンタの値、φ２５メダル払出枚数カウンタの値、及びφ３０メダル払出枚数カウンタの値はそれぞれゼロリセットしておく。前記払出完了フラグの状態は、後述するステップＳ２２０にて計数機制御手段４２に出力する。なお、上記エラーフラグは、図６に示した各種周辺機器の一部が故障した場合などをフォローするためのエラー処理に用いるフラグであるが、詳細な説明は省略する。
【００８６】
ステップＳ２０２にて各種初期設定処理が終了すると、次のステップＳ２０４に進み、バス３８を介して接続されている入力手段３４、計数機制御手段４２、第１払出機制御手段１４２、第２払出機制御手段２４２、カードリーダーライタ３７、レシート印刷手段３９等の周辺機器がポートに出力している情報を順次読み込んで、ＲＡＭ３３の所定領域に記憶する。そして、各ポートの状態に応じたフラグ設定処理を行った後に、次のステップＳ２０６の判断に進む。
【００８７】
例えば、計数機制御手段４２からモータ回転中フラグを取得した場合には、メダルの計数中であることを受けて、払出完了フラグ、レシート出力完了フラグ、カード記録完了フラグ及び計数完了フラグの全てをリセットする。他方、払出完了フラグがリセットされており、かつ、レシート出力完了フラグ、カード記録完了フラグ及び計数完了フラグの全てがセットされている場合には、全ての払出処理が終了したことを受けて、次のメダル計数開始を許可すべく、払出完了フラグをセットする。
【００８８】
ステップＳ２０６にてＣＰＵ３１は、計数機制御手段４２から取得したモータ回転中フラグ及び払出完了フラグの状態に基づいて、メダル計数済であるか否かの判断を行う。モータ回転中フラグ又は払出完了フラグがセットされている場合には、計数機制御手段４２におけるメダル計数処理が完了していないと判断して、ステップＳ２２０に分岐する。他方、モータ回転中フラグ及び払出完了フラグの双方がリセットされている場合には、計数機制御手段４２においてメダルの計数処理が終了したことを受けて、次のステップＳ２０８に進む。
【００８９】
次のステップＳ２０８にてＣＰＵ３１は、計数機制御手段４２から取得したφ２５、φ３０メダル計数カウンタの値を取得し、そのメダルの種類とメダル計数カウンタの値を投入枚数表示部４０ａに表示する指令を、表示インターフェース３５に出力する。なお、実際に指令を出力するタイミングは、後段のステップＳ２２０である。
【００９０】
次のステップＳ２１０にてＣＰＵ３１は、利用者によりエントリースイッチ３４ｅが押下されたか否かの判断を行っている。エントリースイッチ３４ｅが押下されていない場合には、ステップＳ２１２の処理に分岐し、エントリースイッチ３４ｅが押下された場合には、レシート印刷枚数設定スイッチ３４ｒ、カード記録枚数設定スイッチ３４ｃ及びメダル払出枚数設定スイッチ３４ｍの点滅表示を消灯させて、レシート印刷枚数設定用カウンタ、カード記録枚数設定用カウンタ、及びメダル払出枚数設定用カウンタの値を確定する。そして、次のステップＳ２１４に進む。
【００９１】
ステップＳ２１２にてＣＰＵ３１は、実際に払出すメダル枚数を遊技者に設定してもらうべく、払出メダル枚数設定処理を行う。ここでは、先ずレシート印刷枚数設定スイッチ３４ｒ、カード記録枚数設定スイッチ３４ｃ又はメダル払出枚数設定スイッチ３４ｍのいずれかが押下されたことを読み取って、その押下された枚数設定スイッチのみを点滅表示に切り替える。
【００９２】
例えば、レシート印刷枚数設定スイッチが押下された場合には、レシート印刷枚数設定スイッチのみを点滅表示に切り替えて、レシート印刷枚数設定用カウンタのプリセットを有効にし、利用者が数字スイッチ及びＢＳスイッチ等を押下するのを待つ処理を行う。そして、入力された数値をレシート印刷枚数設定用カウンタにプリセットするとともに、レシート印刷枚数表示部４０ｂにそのプリセットされたレシート印刷枚数設定用カウンタの値を表示する指令を表示インターフェース３５に出力する。
【００９３】
他の、カード記録枚数設定スイッチ３４ｃ及びメダル払出枚数設定スイッチ３４ｍについても同様の処理を行って、それぞれカード記録枚数設定用カウンタ及びメダル払出枚数設定用カウンタに入力された数値をプリセットする。また、カード記録枚数設定用カウンタには、予め定められた所定の貯留数をプリセットしておいてもよい。
【００９４】
なお、メダル払出枚数設定用カウンタには、φ２５、φ３０メダル計数カウンタの値からレシート印刷枚数設定用カウンタの値、及びカード記録枚数設定用カウンタの値を減算した値を自動で代入し、メダル払出枚数表示部４０ｄにメダル払出枚数設定用カウンタの値を表示しておくと、メダル払出枚数の設定操作が不要となり、遊技媒体変換装置１の操作性が向上する。なお、実際に指令を出力するタイミングは、後段のステップＳ２２０である。
【００９５】
ステップＳ２１４にてＣＰＵ３１は、レシート印刷枚数設定用カウンタの値と、バーコード情報又はＱＲコード情報と、その印刷指示をレシート印刷手段３９に出力して、レシート印刷手段３９からレシートの印刷処理が完了したことを表すステータスを待つ処理を行う。レシート印刷手段３９からレシートの印刷出力処理が完了したことを表すステータスを取得した場合には、レシート出力完了フラグをセットする。
【００９６】
次のステップＳ２１６にてＣＰＵ３１は、カードリーダーライタ３７に対してプリペイド式の貯メダルカードに記録されている貯メダル数を取得する処理を行う。次に、取得した貯メダル数にカード記録枚数設定用カウンタの値を加算して得た新たな貯メダル数と、その新たな貯メダル数をプリペイド式の貯メダルカードに記録する指示とを、カードリーダーライタ３７に出力する。そして、カードリーダーライタ３７から記録処理が完了したことを表すステータスを待つ処理を行う。カードリーダーライタ３７から記録処理が完了したことを表すステータスを取得した場合には、カード記録完了フラグをセットする。
【００９７】
プリペイド式の貯メダルカードを用いる代わりに、会員カードを用いる場合には、先ずＣＰＵ３１は、カードリーダーライタ３７に対して会員カードに記録されている遊技者固有の識別情報（カードＩＤ）の読み取りを指示し、その識別情報を取得する処理を行う。次にＣＰＵ３１は、取得した識別情報を通信インターフェース３６を介して管理サーバ４００に送信して、その識別情報（カードＩＤ）と関連付けて記録されている貯メダル数を取得する。なお、当該会員カードに対して認証が要求されている場合には、利用者に対してパスワードの入力を促し、数字スイッチ等の入力手段３４を介して入力された情報を通信インターフェース３６を介して管理コンピュータ４００に送信して認証を行なった後に、貯メダル数を取得する。
【００９８】
管理コンピュータ４００から貯メダル数を取得したら、その取得した貯メダル数にカード記録枚数設定用カウンタの値を加算して得た新たな貯メダル数と、その新たな貯メダル数を識別情報と関連付けて管理コンピュータ４００に記録する指示とを、通信インターフェース３６を介して管理コンピュータ４００に出力する。そして、管理コンピュータ４００から記録処理が完了したことを表すステータスを待つ処理を行う。管理コンピュータ４００から記録処理が完了したことを表すステータスを取得した場合には、カード記録完了フラグをセットする。
【００９９】
次のステップＳ２１８にてＣＰＵ３１（払出指示手段）は、メダル払出枚数設定用カウンタの値と、その払出指示とを払出機制御手段に出力する。例えば、計数機４９にて計数したメダルがφ２５メダルであった場合には、メダル払出枚数設定用カウンタの値とその払出指示を第２払出機制御手段２４２に出力して、第２払出機制御手段２４２からφ３０メダルの払出処理が完了したことを表すステータスを待つ処理を行う。
【０１００】
他方、計数機４９にて計数したメダルがφ３０メダルであった場合には、メダル払出枚数設定用カウンタの値とその払出指示を第１払出機制御手段１４２に出力して、第１払出機制御手段１４２からφ２５メダルの払出処理が完了したことを表すステータスを待つ処理を行う。
【０１０１】
第１払出機制御手段１４２又は第２払出機制御手段２４２からメダルの払出処理が完了したことを表すステータスを取得した場合には、計数完了フラグをセットする。
【０１０２】
次のステップＳ２２０にてＣＰＵ３１は、バス３８を介して接続されている入力手段３４、計数機制御手段４２、第１払出機制御手段１４２、第２払出機制御手段２４２、カードリーダーライタ３７、レシート印刷手段３９等のポートに対して、指令や各種情報を出力する。出力処理が終了すると、再びステップＳ２０４の処理に戻り、以降の処理を繰り返し実行する。
【０１０３】
次に本発明の作用について説明する。
図１０は、本発明に係る遊技媒体変換装置１を用いてφ２５メダルをφ３０メダルに変換する工程を示す図である。
図１０に示すように、本発明に係る遊技媒体変換装置１を用いてφ２５メダルをφ３０メダルに変換する場合には、先ず工程Ｐ１０２にて、遊技中に払出された多量のφ２５メダルを遊技媒体変換装置１の所まで運搬する。
【０１０４】
次の工程Ｐ１０４では、遊技ホールの店員に依頼して、運搬してきたφ２５メダルを遊技媒体変換装置１のホッパ４３（多種遊技媒体貯留手段）に投入して計数開始スイッチ４１を押下する。すると、φ２５メダルの計数が開始され、投入枚数表示部４０ａに計数値が表示される。計数機４９における受穴付回転盤２２６の回転が停止したら、レシート印刷枚数、カード記録枚数、メダル払出枚数をそれぞれ入力して、エントリースイッチ３４ｅを押下する。
【０１０５】
すると、所望のメダル枚数が記載されたレシートが印刷され、所望のメダル枚数が記録された貯メダルカードが排出され、所望の枚数のφ３０メダルがメダル受皿１７に払出される。
【０１０６】
次の工程Ｐ１０６にて遊技者は、メダル受皿１７に払出されたφ３０メダルを持って、φ３０メダルを扱う回胴式遊技機の所まで運搬し、回胴式遊技機のメダル投入口に投入して遊技を開始する。
【０１０７】
このように、本発明によれば、従来は６工程を必要としていた異種のメダルに変換する作業工程を、半分の３工程に減少することができ、遊技者の負担を軽減して、より遊技の方に集中することができる（図１１参照。）。また、従来異種メダルに変換する際に必要であったカード発行機と、ジェットカウンタと、再プレイ機との３種類の機械を、一台の機械で兼用することが可能となり、遊技ホールにおける機械の管理コストを低減するとともに、各機械の設置スペースを低減することが可能となる。
【図面の簡単な説明】
【０１０８】
【図１】本発明に係る遊技媒体変換装置を上面から見た平面図である。
【図２】図１に示す遊技媒体変換装置のＩＩ−ＩＩ矢視断面図である。
【図３】図２に示すホッパ及び計数機のＩＩＩ−ＩＩＩ矢視断面図である。
【図４】振分機の流路に対して直交する面で切断した断面図であり、図２に示したＩＶ−ＩＶ矢視断面図である。
【図５】振分機の流路に対して直交する面で切断した断面図であり、図２に示したＶ−Ｖ矢視断面図である。
【図６】遊技媒体変換装置における制御部のブロック図である。
【図７】遊技ホールにおける管理コンピュータの通信ネットワークを説明する図である。
【図８】制御部の計数機制御手段が実行するメダル計数処理を表したフローチャートである。
【図９】制御部のＣＰＵが実行する電源投入処理のフローチャートである。
【図１０】本発明に係る遊技媒体変換装置を用いてφ２５メダルをφ３０メダルに変換する際の工程図である。
【図１１】φ２５メダルをφ３０メダルに変換する従来の工程図である。
【符号の説明】
【０１０９】
１  遊技媒体変換装置
２  筐体
１１  ガイド
１２  固定具
１７  メダル受皿
２９  制御部
３１  ＣＰＵ（払出指示手段，メダル計数カウンタ）
３２  ＲＯＭ
３３  ＲＡＭ（遊技媒体種類記憶手段，メダル計数カウンタ）
３４  入力手段
３４ｃ  カード記録枚数設定スイッチ
３４ｅ  エントリースイッチ
３４ｍ  メダル払出枚数設定スイッチ
３４ｒ  レシート印刷枚数設定スイッチ
３５  表示インターフェース
３６  通信インターフェース
３７  カードリーダーライタ（記録媒体制御手段）
３８  バス
３９  レシート印刷手段（記録媒体制御手段）
４０ａ  投入枚数表示部
４０ｂ  レシート印刷枚数表示部
４０ｃ  カード記録枚数表示部
４０ｄ  払出枚数表示部
４１  計数開始スイッチ
４２  計数機制御手段（メダル計数カウンタ）
４３  ホッパ（多種遊技媒体貯留手段）
４４  メダル検出部
４９  計数機（遊技媒体計数手段）
４９ｄ  計数機奥壁
４９ｆ  計数機前壁
５０  振分機（振分手段）
５１  メダル検出センサ（遊技媒体計数手段，遊技媒体種類検出手段）
５２  透光孔
５３，５４  下ガイド
１４２  第１払出機制御手段
１４３  ホッパ（第１の貯留手段）
１４９  第１払出機（第１の払出手段）
１５０，２５０  シュート
２２４  メダル受穴
２２６  受穴付回転盤
２３０  モータ
２３２  ギヤヘッド
２３４  ディスクホルダ
２３６  ディスクカバー
２３８  メダル導入ローラ
２３９  メダル放出ローラ
２４２  第２払出機制御手段
２４３  ホッパ（第２の貯留手段）
２４４  ストッパーブラケット
２４５  筐体側コネクタ
２４６  コネクタ
２４９  第２払出機（第２の払出手段）
１１２５  φ２５遊技機
１１３０  φ３０遊技機
１２２５  φ２５貸出機
１２３０  φ３０貸出機
φ２５  φ２５メダル
φ３０  φ３０メダル
【図１】
2009136382.tif 000003
【図２】
2009136382.tif 000004
【図３】
2009136382.tif 000005
【図４】
2009136382.tif 000006
【図５】
2009136382.tif 000007
【図６】
2009136382.tif 000008
【図７】
2009136382.tif 000009
【図８】
2009136382.tif 000010
【図９】
2009136382.tif 000011
【図１０】
2009136382.tif 000012
【図１１】
2009136382.tif 000013